(57)【要約】【課題】  不具合の発生を未然に防止できるような報知を効果的に行う。【解決手段】  装置の各種の状態を検出する複数の状態検出手段Ａ、これら状態検出手段Ａの検出した状態に基づいて次に発生する状態を予測する予測手段Ｂ、この予測手段Ｂの予測した状態が望ましい状態か否かを判定する判定手段Ｃ、この判定手段Ｃの判定に応じた音声メッセージを出力する音声報知手段Ｄとしての機能を設ける。状態検出手段Ａを、本体ケースに作用する加速度を検出する加速度検出器や、電源となる二次電池の電力消費に関する状態を検出する電流センサ及び充電回路等から構成する。ＣＰＵが、それら状態検出手段Ａの状態を監視すると共に、予測手段Ｂ及び判定手段Ｃとして機能する。音声報知手段Ｄ（音声出力部）は、擬人化した話し言葉で音声報知を行う。【選択図】  図１
2006033702.tif 000002
【特許請求の範囲】
【請求項１】
携帯可能な本体ケース内に、電池を電源として動作する情報処理機構を組込んで構成される携帯端末装置において、
装置の状態を検出する状態検出手段と、
この状態検出手段の検出した状態に基づいて次に発生する状態を予測する予測手段と、
この予測手段の予測した状態が望ましい状態か否かを判定する判定手段と、
この判定手段が望ましくない状態と判定したときに、ユーザに注意を促すための音声報知を行う音声報知手段とを具備することを特徴とする携帯端末装置。
【請求項２】
前記判定手段が望ましい状態と判定したときには、前記音声報知手段は、現状を推奨するメッセージを音声報知することを特徴とする請求項１記載の携帯端末装置。
【請求項３】
前記状態検出手段は、前記本体ケースに作用する加速度を検出する加速度検出手段を含むことを特徴とする請求項１または２記載の携帯端末装置。
【請求項４】
前記加速度検出手段は、直交する３軸方向の加速度を夫々検出する３個の加速度センサを備えることを特徴とする請求項３記載の携帯端末装置。
【請求項５】
前記状態検出手段は、前記電池の電力消費に関する状態を検出する手段を含むことを特徴とする請求項１ないし４のいずれかに記載の携帯端末装置。
【請求項６】
前記予測手段は、前記状態検出手段が所定のタイミングで繰返し検出した検出値を一定期間にわたって記憶しておき、その検出値の増減に基づいて次に発生する状態を予測することを特徴とする請求項１ないし５のいずれかに記載の携帯端末装置。
【請求項７】
前記予測手段は、前記検出値の増減と、該検出値の値との双方に基づいて次に発生する状態を予測することを特徴とする請求項６記載の携帯端末装置。
【請求項８】
前記判定手段は、前記予測手段が予測した予測値について望ましいと判断する第１の範囲を有し、前記予測手段の予測値が、前記第１の範囲から外れる場合には望ましくないと判定し、該第１の範囲に入る場合には望ましいと判定することを特徴とする請求項１ないし７のいずれかに記載の携帯端末装置。
【請求項９】
前記判定手段は、更に前記予測手段が予測した予測値について危険と判断する第２の範囲を有し、前記予測手段の予測値が、前記第２の範囲に入る場合には危険と判定すると共に、
前記音声報知手段は、前記判定手段が危険と判定したときには、警告を表すメッセージを音声報知することを特徴とする請求項８記載の携帯端末装置。
【請求項１０】
前記判定手段は、前記第１の範囲と第２の範囲との間に、それらに重なることのない第３の範囲を有し、前記予測手段の予測値が、前記第２の範囲から前記第３の範囲に入る場合には、望ましい状態に向かっていると判定することを特徴とする請求項９記載の携帯端末装置。
【請求項１１】
前記音声報知手段は、擬人化した話し言葉により音声報知を行うことを特徴とする請求項１ないし１０のいずれかに記載の携帯端末装置。
【請求項１２】
前記音声報知手段は、複数種類の声音を用いた音声報知が可能に構成されていると共に、それら声音をユーザが選択するための選択手段を備えることを特徴とする請求項１１記載の携帯端末装置。
【請求項１３】
前記音声報知手段は、音声報知するメッセージの内容に応じて音声の調子を変化させて音声報知を行うことを特徴とする請求項１１又は１２記載の携帯端末装置。
【請求項１４】
前記音声報知手段により音声報知を行う頻度を変更可能に構成されていることを特徴とする請求項１ないし１３のいずれかに記載の携帯端末装置。
【発明の詳細な説明】
【技術分野】
【０００１】
本発明は、携帯可能な本体ケース内に、電池を電源として動作する情報処理機構を組込んで構成される携帯端末装置に関する。
【背景技術】
【０００２】
携帯端末装置、例えばバーコードを読取る手持ち式のバーコードスキャナにおいては、読取時にエラーが発生したような場合に、そのエラーの原因を解析し、音声出力部から、対処方法などのメッセージ（「明るさが足りません」、「スキャナをバーコードに対し水平にして下さい」、「再度読取りを行って下さい」等）を音声報知するようにしたものが考えられている（例えば特許文献１参照）。
【特許文献１】特開平１１−２８２９４７号公報
【発明の開示】
【発明が解決しようとする課題】
【０００３】
上記従来のものは、読取エラーが発生した場合に、ユーザはその原因（対処法）を音声報知により知ることができるが、できれば、エラーの発生自体を抑えたい要望がある。従って、エラーが発生する前にそれを未然に防止するべく、来るべき事態を予測して望ましい状態になるように仕向けることが、ユーザにとってより有用なものとなる。
本発明は上記事情に鑑みてなされたもので、その目的は、ユーザに対して、不具合の発生を未然に防止できるような報知を効果的に行うことができる携帯端末装置を提供するにある。
【課題を解決するための手段】
【０００４】
本発明の携帯端末装置は、装置の状態を検出する状態検出手段と、この状態検出手段の検出した状態に基づいて次に発生する状態を予測する予測手段と、この予測手段の予測した状態が望ましい状態か否かを判定する判定手段と、この判定手段が望ましくない状態と判定したときに、ユーザに注意を促すための音声報知を行う音声報知手段とを具備するところに特徴を有する（請求項１の発明）。
【０００５】
これによれば、状態検出手段の検出した状態に基づいて、予測手段により、次に発生する状態が予測され、その状態が判定手段により望ましくない状態と判定された場合には、音声報知手段により、ユーザに注意を促すための音声報知が行われる。従って、ユーザに対して、不具合の発生を未然に防止できるような報知を効果的に行うことができ、ユーザは、音声報知に従って適切な対処を行うことにより、エラーや異常の発生等の不具合を招くことを未然に防止することが可能となる。
【０００６】
このとき、前記判定手段が望ましい状態と判定したときに、前記音声報知手段により、現状を推奨するメッセージが音声報知されるように構成することもできる（請求項２の発明）。これによれば、現状を推奨するメッセージを聞くことにより、ユーザが安心して使用することができる。
【０００７】
上記した状態検出手段として、より具体的には、本体ケースに作用する加速度を検出する加速度検出手段を含む構成とすることができる（請求項３の発明）。これによれば、例えば本体ケースが落下したり投げられたり振り回されたりした場合に、加速度検出手段の検出した加速度の変化に基づき、本体ケースの衝突などを予測できるので、その旨を報知することにより、本体ケースの衝突に伴う衝撃や破損等の発生を未然に防止することが可能となる。この場合、加速度検出手段を、直交する３軸方向の加速度を夫々検出する３個の加速度センサを備えたものとすれば（請求項４の発明）、前方向における加速度を検出することができ、これにより、より正確な状態を予測することが可能となる。
【０００８】
また、状態検出手段として、電池の電力消費に関する状態を検出する手段を含む構成とすることもできる（請求項５の発明）。これによれば、電池の残量、充放電の状態、電力使用の状態などの検出に基づいて、電池寿命（使用可能時間）、充電に要する時間等を予測することができ、ユーザは、音声報知に従って適切な対処を行うことができる。
尚、状態検出手段としては、その他にも様々なものを用いることができる。この場合、もともと装置が備えているセンサなどを状態検出手段として用いることが望ましい。
【０００９】
上記した予測手段を、状態検出手段が所定のタイミングで繰返し検出した検出値を一定期間にわたって記憶しておき、その検出値の増減に基づいて次に発生する状態を予測するように構成することができる（請求項６の発明）。これによれば、検出値の増減に基づいて状態の変化の傾向を把握することにより、次に発生する状態の予測を高い正確性で行うことができる。このとき、予測手段を、検出値の増減と、該検出値の値との双方に基づいて次に発生する状態を予測するように構成すれば（請求項７の発明）、次に発生する状態をより一層正確に予測することができるようになる。
【００１０】
上記した判定手段を、予測手段が予測した予測値について望ましいと判断する第１の範囲を設けて、予測手段の予測値が、その第１の範囲から外れる場合には望ましくないと判定し、該第１の範囲に入る場合には望ましいと判定するように構成することができる（請求項８の発明）。これにより、予測した状態が望ましい状態かどうかの判定を容易に行なうことができるようになる。
【００１１】
この場合、判定手段を、更に予測手段が予測した予測値について危険と判断する第２の範囲を設け、予測手段の予測値が、第２の範囲に入る場合には危険と判定するように構成すると共に、上記音声報知手段を、判定手段が危険と判定したときには、警告を表すメッセージを音声報知するように構成することができる（請求項９の発明）。これによれば、危険な状態となると予測されたときには、警告を表すメッセージをユーザに音声報知することにより、より効果的な報知を行うことができる。
【００１２】
さらに、判定手段を、第１の範囲と第２の範囲との間に、それらに重なることのない第３の範囲を設け、予測手段の予測値が、第２の範囲から第３の範囲に入る場合には、望ましい状態に向かっていると判定するように構成することもでき（請求項１０の発明）、これにより、より緻密な判定を行うことができる。
【００１３】
本発明においては、上記した音声報知手段を、擬人化した話し言葉により音声報知を行うように構成することが好ましい（請求項１１の発明）。単純な合成音声による報知のような無味乾燥なものではなく、感情の伴った話し言葉で音声報知が行われるので、ユーザにとって親しみやすく面白みのある音声報知がなされるようになる。
【００１４】
このとき、音声報知手段を、複数種類の声音を用いた音声報知を可能に構成すると共に、それら声音をユーザが選択するための選択手段を設けることができる（請求項１２の発明）。これによれば、例えば成人男性、成人女性、子ども等のなかから、ユーザの好みの種類の声音で、音声報知を行わせることが可能となり、より効果的となる。
【００１５】
また、音声報知手段を、音声報知するメッセージの内容に応じて音声の調子を変化させて音声報知を行うように構成することもでき（請求項１３の発明）、これにより、例えば現状を推奨するメッセージを音声報知する場合にはのんびりとした音声の調子で報知を行い、危険を警告する場合には強い語気で報知を行うといったように、より一層効果的な音声報知を行うことができる。
【００１６】
更には、音声報知手段により音声報知を行う頻度を変更可能に構成することもできる（請求項１４の発明）。これにより、ユーザの所望する頻度で音声報知を行うことが可能となり、例えば音声報知の頻度が高すぎてユーザが煩わしく感じたり、頻度が低すぎて音声報知の効果が薄れたりすることを防止することができる。
【発明を実施するための最良の形態】
【００１７】
以下、本発明を、バーコードや二次元コードを読取るための光学情報読取装置に適用した一実施例について、図面を参照しながら説明する。
まず、図３は、本実施例に係る携帯端末装置としての光学情報読取装置（ハンディターミナル）１の外観構成を概略的に示しており、この光学情報読取装置１は、ユーザが手で持って操作可能（携帯可能）な本体ケース２内に、情報処理機構としての、各種情報コードを読取るための読取機構及び全体を制御する制御装置を組込んで構成される。それら読取機構や制御装置は、本体ケース２内に設けられた二次電池３（図２参照）を電源として動作するようになっている。
【００１８】
前記本体ケース２は、ほぼ薄型矩形箱状をなし、その先端面には、図示しない読取口が設けられている。また、本体ケース２の上面部には、ユーザが各種の入力指示を行うための複数のキースイッチからなる入力操作部４が設けられていると共に、液晶表示器５が設けられている。これら入力操作部４及び液晶表示器５は、それぞれ、図１に示す操作入力手段Ｅ及び表示出力手段Ｆとして機能するようになっている。更に、図３に示すように、本体ケース２の基端面側には、ストラップ６が取付け可能とされている。尚、前記液晶表示器５にはバックライトが設けられ、その明るさ（光量）が設定可能とされている。
【００１９】
図２は、この光学情報読取装置１の電気的構成（ハードウエア構成）を示している。ここで、前記読取機構は、前記読取口から読取対象Ｒに向けて照明光を照射するための複数個のＬＥＤ等からなる照明光源７、読取口から入射される読取対象Ｒからの反射光を結像する結像レンズ８、及びＣＣＤエリアセンサ９などを備えている。そして、ＣＣＤエリアセンサ９から出力される画像信号は、アンプ１０によって増幅され、Ａ／Ｄ変換回路１１によりデジタル画像データに変換され、そのデータがＤＭＡ１２を介してメモリ１３に転送されるようになっている。
【００２０】
前記制御装置は、ＣＰＵ１４を主体として構成され、装置全体の制御を行うと共に、前記読取機構により取込まれた画像データから情報コードの解読処理（デコード処理）等を行うようになっている。前記ＣＰＵ１４は、前記読取機構の照明光源７、ＣＣＤエリアセンサ９、アンプ１０、Ａ／Ｄ変換回路１１、ＤＭＡ１２を制御するようになっていると共に、前記メモリ１３に接続されている。また、ＣＰＵ１４には、前記入力操作部４からの入力信号が入力されると共に、前記液晶表示器５の表示を制御するようになっている。
【００２１】
さらに、このＣＰＵ１４には、不揮発性メモリ１５が接続されていると共に、外部とのデータ通信を行うための無線通信部１６及び有線通信部１７が接続されている。また、本体ケース２内には、音声出力部１８が設けられ、ＣＰＵ１４により制御されるようになっている。詳しくは後述するが、この音声出力部１８は、図１に示すように、音声報知手段Ｄ（図１参照）として機能し、より詳細には、各種メッセージの音声データを記憶する音声記憶手段Ｄ１、出力すべき音声データを選択する音声選択手段Ｄ２、音声データを再生してスピーカから出力する音声再生手段Ｄ３を含んで構成されている。
【００２２】
そして、本実施例では、本体ケース２内には、加速度検出手段たる加速度検出器１９が設けられている。この加速度検出器１９は、図４に示すように、１個のケース内に３個の加速度センサ１９ａを、直交する３軸方向（Ｘ軸、Ｙ軸、Ｚ軸方向）の加速度をそれぞれ検出するように配設して構成されている。図３に示すように、この加速度検出器１９は、本体ケース２内のほぼ中央の重心に近い位置に取付けられている。前記ＣＰＵ１４には、この加速度検出器１９の各加速度センサ１９ａからの検出信号が入力されるようになっている。
【００２３】
更に、図２に示すように、本体ケース２には、前記二次電池３を充電するための充電回路２０が設けられており、また、二次電池３の負荷電流を検出するための電流センサ２１が設けられている。前記充電回路２０は、ＣＰＵ１４により制御されるようになっており、また、前記電流センサ２１の検出信号はＣＰＵ１４に入力される。充電回路２０は、充電用端子２０ａを介して外部の充電器（図示せず）から電力が供給されることに基づいて二次電池３に対する充電を制御するようになっている。これら充電回路２０及び電流センサ２１は、二次電池３の消費電力に関する状態を検出する手段として機能する。
【００２４】
さて、本実施例の光学情報読取装置１は、図１の機能ブロック図に示すように、前記ＣＰＵ１４の処理を中心としたソフトウエア的構成などにより、装置１の各種の状態を検出する複数（Ｎ個）の状態検出手段Ａ、これら状態検出手段Ａの検出した状態に基づいて次に発生する状態を予測する予測手段Ｂ、この予測手段Ｂの予測した状態が望ましい状態か否かを判定する判定手段Ｃ、この判定手段Ｃの判定に応じた音声メッセージを出力する音声報知手段Ｄとしての機能を備えている。本実施例では、前記ＣＰＵ１４が、状態検出手段Ａの状態を監視すると共に、予測手段Ｂ及び判定手段Ｃとして機能するようになっている。また、上記のように、音声出力部１８が音声報知手段Ｄとして機能する。
【００２５】
図５は、上記複数の状態検出手段Ａを構成するハードウエア資源、その状態検出手段Ａの検出対象となる状態、予測手段Ｂ（ＣＰＵ１４）が予測する次に発生する状態、の具体例の一覧を示している。即ち、状態検出手段Ａとしての加速度検出器１９により、本体ケース２に作用する加速度が検出される。この加速度検出器１９からは、３軸方向の各加速度センサ１９ａからの検出信号が得られるが、ＣＰＵ１４は、それらを合成した加速度ｇと各軸個別の加速度ｇｘ、ｇｙ、ｇｚとの双方を監視するようになっている。そして、ＣＰＵ１４により、本体ケース２の落下、衝突による衝撃の発生が予測される。
【００２６】
このとき、詳しくは後の作用説明にて述べるが、ＣＰＵ１４は、所定のタイミングで繰返し（一定時間毎に）検出した加速度（検出値）を記憶しておき、その検出値の増減と、検出値の絶対値との双方に基づいて次に発生する状態を予測するようになっている。そして、予測した状態が望ましい状態か否かをＣＰＵ１４が判定するにあたって、望ましいと判定する第１の範囲、危険と判定する第２の範囲、それらの間の第３の範囲が予め設定されて記憶されており、ＣＰＵ１４は、予測値が、第１の範囲から外れる場合には望ましくないと判定し、第１の範囲に入る場合には望ましいと判定し、第２の範囲に入る場合には危険と判定し、第２の範囲から第３の範囲に入る場合には望ましい状態に向かっていると判定するようになっている。
【００２７】
また、図５に示すように、状態検出手段Ａとしての電流センサ２１及び充電回路２０により、二次電池３の電力消費に関する状態、つまり、負荷電流、充電量、放電量が検出される。そして、ＣＰＵ１４により、電池３の消耗度合（残り使用時間）、充電時間、使用時間、電池寿命などが予測されるようになっている。状態検出手段ＡとしてのＣＣＤエリアセンサ９により、情報コードの読取状態や環境の明暗度合が検出される。そして、ＣＰＵ１４により、情報コードの読取環境などが予測されるようになっている。
【００２８】
更に、状態検出手段Ａとしてのメモリ１３及び不揮発性メモリ１５からはメモリ使用量（メモリ残量）が検出され、ＣＰＵ１４により、作業継続可能時間（読取可能回数）などが予測される。状態検出手段Ａとしての無線通信部１６により、電波の送受信環境が検出され、ＣＰＵ１４により、通信品質や通信時間などが予測される。状態検出手段Ａとしての優先通信部１７により、データ伝送速度が検出され、ＣＰＵ１４により、データ伝送時間などが予測される。
【００２９】
そして、ＣＰＵ１４は、予測した状態が望ましい状態か否かを判定すると、それに応じて選択された必要なメッセージを出力するように音声出力部１８（音声報知手段Ｄ）に指令を与え、音声出力部１８により、各種のメッセージがユーザに音声報知されるようになっている。このとき、ＣＰＵ１４により望ましくない状態であると判定された場合には、音声出力部１８により注意を促すメッセージが音声報知され、危険と判定された場合には、警告を表すメッセージが音声報知され、望ましい状態に向かっている場合には、現状を推奨するメッセージが音声報知されるようになっている。
【００３０】
本実施例では、上記した音声出力部１８による音声報知が、擬人化した話し言葉（あたかも人間が話すような感情の伴った言葉使い）により行われるようになっている。この場合、音声報知するメッセージの内容に応じて音声の調子を変化されるようになっており、例えば現状を推奨するメッセージを音声報知する場合にはのんびりとした音声の調子で報知が行われ、危険を警告する場合には強い語気で報知が行われるようになっている。
【００３１】
また、本実施例では、同じ意味合いのメッセージでも、複数種類の声音を用いた音声報知が可能に構成されており、例えば成人男性、成人女性、子どもの３種類のなかから、ユーザが入力操作部４（操作入力手段Ｅ）の操作により予め選択した声音により、音声報知が行われるようになっている。さらには、音声報知を行う頻度が、ユーザにより設定可能に構成されており、例えば頻度高（全ての音声報知を行う）、頻度中（注意及び警告のメッセージを報知）、頻度低（警告のメッセージのみ報知）のなかからユーザが選択設定できるようになっている。尚、上記音声報知に併せて、前記液晶表示器５（表示出力手段Ｆ）に、必要な表示が行われるようになっている。
【００３２】
次に、上記構成の作用について、図６ないし図８も参照して述べる。図６のフローチャートは、ＣＰＵ１４の処理動作を中心とした、状態検出に基づく音声報知の処理手順を示している。尚、ここでは、状態検出手段Ａが１からＮまでのＮ個存在し、また、各状態検出手段Ａが所定のタイミングで検出した検出値を電源オン中はずっと記憶しておき、前回（ｋ−１番目）の検出値からの増減、及び、現在（ｋ番目）の検出値から、次に発生する状態を予測するようにしている。
【００３３】
即ち、電源がオンされると、変数ｋに０がセットされる（ステップＳ１）と共に、変数ｉに０がセットされる（ステップＳ２）。次のステップＳ３では、検出手段ｉによる状態検出が行われ、ステップＳ４にて、その検出値が検出手段ｉのｋ番目の検出値としてメモリ１３に記憶される。ステップＳ５では、検出手段ｉのｋ−１番目とｋ番目との検出値を比較して増減が求められる。ステップＳ６では、検出手段ｉのｋ番目の検出値と、上記ステップＳ５で求められた増減とから次の値が予測される。
【００３４】
次のステップＳ７では、予測した検出値と判定基準値とが比較されて予測した検出値が属する範囲が決定される。ステップＳ８では、予測した検出値が属する範囲に応じたメッセージが選択される。そして、出力すべきメッセージが存在する場合には（ステップＳ９にてＹｅｓ）、ステップＳ１０にて、選択されたメッセージが音声報知される。出力すべきメッセージが存在しない場合には（ステップＳ９にてＮｏ）、そのままステップＳ１１に進む。
【００３５】
この後、ステップＳ１１にて変数ｉが１だけインクリメントされる。ステップＳ１２にて、変数ｉとＮとが比較され、変数ｉがＮ以下であれば（Ｎｏ）、ステップＳ３に戻り、変数ｉがＮを越えていれば（Ｙｅｓ）、ステップＳ１３に進む。ステップＳ１３では、変数ｋが１だけインクリメントされる。次のステップＳ１４では、電源がオフされたかどうかが判断され、電源オフでない場合には（Ｎｏ）、ステップＳ２に戻る。電源がオフされた場合には（Ｙｅｓ）、処理が終了する。
【００３６】
図７は、本体ケース２に作用する加速度及び二次電池３の状態に関しての、判定の手法及び音声報知（メッセージ）の具体例を示したものである。そのうち、まず、加速度検出器１９による加速度の検出に伴う判定及び音声報知について述べる。即ち、上述のように、加速度検出器１９は、３個の加速度センサ１９ａにより、直交する３軸方向（Ｘ軸、Ｙ軸、Ｚ軸方向）の加速度をそれぞれ検出するようになっており、ＣＰＵ１４は、各加速度センサ１９ａの検出した加速度ｇｘ、ｇｙ、ｇｚから、次の（１）式により、合成した加速度ｇを求める。
【００３７】
【数１】
2006033702.tif 000003
ここで、図８は、検出される加速度ｇの変化の様子を示している。本体ケース２の静止状態では，１Ｇの重力のみが観測されるので、１Ｇ付近の値を安全な（望ましい）状態として、１Ｇの上下に通常の使用状態と判断するためのしきい値Ｔ１，Ｔ２が設定される。そして、その上下外側に、通常の使用状態では発生しない加速度の範囲として、しきい値Ｔ３，Ｔ４が設定される。更に、その上下外側が、０Ｇ（自然落下）を含む危険な状態と判断するための範囲とされる。
【００３８】
このとき、検出加速度ｇが、１Ｇ付近のしきい値Ｔ１，Ｔ２間で小さく変動している場合には、望ましい状態（第１の範囲）にあると判定される。そして、検出加速度ｇが、しきい値Ｔ１、Ｔ３間、又は、しきい値Ｔ２，Ｔ４間の範囲内に変動した場合（第３の範囲）には、危険の発生が予測される。さらに、検出加速度ｇが、しきい値Ｔ３を越える、又は、しきい値Ｔ４を下回る範囲に変動した場合（第２の範囲）には、差し迫った危険、すなわち本体ケース２の落下、衝突による衝撃の発生が予測される。例えば、ユーザがストラップ６を持って本体ケース２を振り回しているような場合には、重力加速度に加えて回転による加速度が発生するので、検出加速度ｇが周期的に大きく変動するようになり、この場合には振り回している状態が推定され、ちょっと手が滑ると本体ケース２が吹っ飛んでいくことが予測される。
【００３９】
従って、図７に示すように、望ましい状態が継続していると判定された場合（検出加速度ｇが１Ｇ付近で安定している場合）には、音声報知は特になされない。そして、望ましい状態から望ましくない状態に移行した場合（例えば検出加速度ｇがしきい値Ｔ１を越えた場合）には、「振り回すと危ないよ！」といった注意を促すメッセージが音声報知される。この音声報知は、ユーザが予め選択設定した声音（成人男性、成人女性、子どものいずれか）によりなされる。
【００４０】
さらに、望ましくない状態から危険な状態に移行した場合（例えば検出加速度ｇが０となった場合）には、「危ないっ！」といった危険を警告するメッセージが、通常より強い語気で音声報知される。危険な状態から危険でない状態へ移行した場合（例えば検出加速度ｇが１Ｇ付近に戻った場合）には、「こわかったよー。」といったメッセージが音声報知される。また、望ましくない状態から望ましい状態に移行した（検出加速度ｇが１Ｇ付近で安定した場合）場合には、「もう、振り回さないでね。」といったメッセージが音声報知される。
【００４１】
次に、二次電池３の状態に関しての、判定及び音声報知について述べる。平均的な使用状況、環境が継続している場合（例えば電流センサ２１により検出される電池３の負荷電流が通常使用状態と想定されている範囲にある場合）には、望ましい状態が継続していると判断され、音声報知は特になされない。そして、望ましい状態から望ましくない状態に移行した場合（例えばバックライトが周囲環境に対して明るすぎる設定のため負荷電流が大きくなっている場合）には、「バックライト暗くしたいな！」といった注意を促すメッセージが音声報知される。
【００４２】
さらに、望ましくない状態から危険な状態に移行した場合（例えば二次電池３の累積使用電力（あるいは電圧）の検出により電池残量が少ないと判定された場合）には、「あと１分で止まるよ！」といった危険を警告するメッセージが音声報知される。その後、二次電池３に対する充電が行われ、危険な状態から危険でない状態へ移行した場合には、「満タンまであと３０分だよ。」といったメッセージが音声報知される。また、充電が終了し、望ましくない状態から望ましい状態に移行した場合には、「充電完了、もう使えるよ。」といったメッセージが音声報知される。
【００４３】
なお、図示や詳しい説明は省略するが、ＣＣＤエリアセンサ９により情報コードの読取状態が検出され、読取状態が不良（望ましくない状態）の場合には、その要因に応じて、「もう少し近寄ってください。」、「もう少し明るい環境にしてください。」、「バーコードの印字を改善してください。」といった注意を促すメッセージが音声報知される。メモリ残量が少なくなった（望ましくない状態）場合には、「メモリが一杯になるので転送してください。」といった注意を促すメッセージが音声報知される。無線通信部１６や有線通信部１７の通信時には、「あと１分でデータ伝送が終了するよ。」といったメッセージが音声報知される。
【００４４】
このように本実施例によれば、状態検出手段Ａの検出した状態に基づいて、予測手段Ｂにより次に発生する状態が予測され、その状態が判定手段Ｃにより望ましくない状態と判定された場合には、音声報知手段Ｄによりユーザに注意を促すための音声報知が行われる構成としたので、ユーザに対して、不具合の発生を未然に防止できるような報知を効果的に行うことができ、ユーザは、音声報知に従って適切な対処を行うことにより、エラーや異常の発生等の不具合を招くことを未然に防止することが可能となるという優れた効果を得ることができる。
【００４５】
特に本実施例では、擬人化した話し言葉により音声報知を行うように構成したので、単純な合成音声による報知のような無味乾燥なものではなく、感情の伴った話し言葉で音声報知が行われ、ユーザにとって親しみやすく面白みのある音声報知がなされるようになる。しかも、音声報知を行うにあたり、複数種類の声音からユーザが所望の声音を選択することができ、また、音声報知するメッセージの内容に応じて音声の調子を変化させ、さらには、ユーザの所望する頻度で音声報知を行うことを可能としたので、より一層効果的な音声報知を行うことができるものである。
【００４６】
尚、上記実施例では、本発明をハンディタイプの光学情報読取装置に適用したが、本発明は、例えば携帯電話機やＰＤＡ等の、携帯可能に構成された携帯端末装置全般に適用することができる。その他、状態検出手段としては、加速度センサ等に限らず様々なセンサなどから構成することができ、その際、装置がもともと有しているセンサなどの装置を用いて状態検出できればより効果的となる。また、音声報知についても種々の変形が可能であり、メッセージ毎に声音の種類を選択できるようにしても良い等、本発明は要旨を逸脱しない範囲内で適宜変更して実施することができる。
【図面の簡単な説明】
【００４７】
【図１】本発明の一実施例を示すもので、要部の機能的な構成を示す機能ブロック図
【図２】光学情報読取装置の電気的構成を概略的に示すブロック図
【図３】光学情報読取装置の外観を示す斜視図
【図４】加速度検出器の構成を示す斜視図
【図５】状態検出手段、状態検出手段の検出対象となる状態、予測手段が予測する次に発生する状態、の具体例を示す図
【図６】状態検出に基づく音声報知の処理手順を示すフローチャート
【図７】判定の手法及び音声報知（メッセージ）の具体例を示す図
【図８】加速度検出器により検出される加速度の変化の様子の例を示す図
【符号の説明】
【００４８】
図面中、１は光学情報読取装置（携帯端末装置）、２は本体ケース、３は二次電池、４は入力操作部、５は液晶表示器、９はＣＣＤエリアセンサ、１３はメモリ、１４はＣＰＵ（予測手段、判定手段）、１５は不揮発性メモリ、１６は無線通信部、１７７は有線通信部、１８は音声出力部（音声報知手段）、１９は加速度検出器（加速度検出手段）、１９ａは加速度センサ、２０は充電回路、２１は電流センサを示す。
【図１】
2006033702.tif 000004
【図２】
2006033702.tif 000005
【図３】
2006033702.tif 000006
【図４】
2006033702.tif 000007
【図５】
2006033702.tif 000008
【図６】
2006033702.tif 000009
【図７】
2006033702.tif 000010
【図８】
2006033702.tif 000011